(57)【要約】【課題】効率的に制振部材を機能させる方向の変形を入力することが可能な建物の制振構造を提供する。【解決手段】複数の柱１３３と梁１３１，１３２とを組み合わせて形成される骨組構造体１３に対して制振壁パネル２を取り付けることによって構築される建物１の制振構造である。  そして、取付材としての梁と制振壁パネルとを連結するＵ形ダンパ４が、曲面部４３を有する帯状部材であるとともに、壁パネルの面板２ａと取付材の取付面１３１ａ，１３２ａの双方に略直交する面で見て曲線となる方向に向けられて、その曲面の両端にそれぞれ設けられた固定部４１，４２を介して取付材及び制振壁パネルにそれぞれ取り付けられる。【選択図】図１
2009287233.tif 000002
【特許請求の範囲】
【請求項１】
複数の柱と梁とを組み合わせて形成される骨組構造体に対して壁パネルを取り付けることによって構築される建物の制振構造であって、
取付材としての前記柱、前記梁又は前記梁に端部が連結される間柱の少なくとも一つと前記壁パネルの少なくとも一枚とを連結する制振部材が、曲面を有する帯状部材であるとともに、前記壁パネルの壁面と前記取付材の取付面の双方に略直交する面で見て曲線となる方向に向けられて、その曲面の両端にそれぞれ設けられた固定部を介して前記取付材及び前記壁パネルにそれぞれ取り付けられることを特徴とする建物の制振構造。
【請求項２】
前記骨組構造体には、前記梁に端部が連結される複数の間柱が設けられ、前記壁パネルは両側縁が前記間柱又は前記柱にピン支持されるとともに、前記梁を取付材として前記壁パネルと前記梁とが前記制振部材によって連結されることを特徴とする請求項１に記載の建物の制振構造。
【請求項３】
前記取付材の前記取付面は、前記壁パネルと略直交するフランジ面であることを特徴とする請求項１又は２に記載の建物の制振構造。
【請求項４】
前記壁パネルには、前記取付材の前記取付面に略平行する突出片が設けられ、前記制振部材の一方の前記固定部が前記突出片に固定されるとともに、他方の前記固定部が前記取付面に固定されることを特徴とする請求項１乃至３のいずれか一項に記載の建物の制振構造。
【請求項５】
前記制振部材は断面視略半円形に形成され、その半円の一端が一方の前記固定部となり、他端が他方の前記固定部となるとともに、前記曲面が前記壁パネル側に配置されることを特徴とする請求項１乃至４のいずれか一項に記載の建物の制振構造。
【請求項６】
前記制振部材は断面視略円形に形成され、その円の対向する位置に一方の前記固定部と他方の前記固定部がそれぞれ形成されることを特徴とする請求項１乃至４のいずれか一項に記載の建物の制振構造。
【請求項７】
前記制振部材は向きが正反対になる曲面が連続して形成され、その一方の端部に前記固定部が設けられて前記壁パネルに固定され、他方の端部に設けられた前記固定部が前記取付面に固定されることを特徴とする請求項１乃至３のいずれか一項に記載の建物の制振構造。
【請求項８】
曲面を有する帯状部材であるとともに、断面視略円形に形成され、その円の対向する位置に一対の固定部が形成されたことを特徴とする制振部材。
【請求項９】
曲面を有する帯状部材であるとともに、向きが正反対になる曲面が連続して形成され、その両端に固定部が設けられたことを特徴とする制振部材。
【発明の詳細な説明】
【技術分野】
【０００１】
本発明は、地震や風や交通振動などによって生じる建物の揺れを抑えるための建物の制振構造又はそれに使用される制振部材に関するものである。
【背景技術】
【０００２】
従来、地震などによって発生する建物の揺れを低減して、建物の損壊や居住者の安全性を高める制振構造が知られている（特許文献１など参照）。
【０００３】
この特許文献１の制振構造では、複数の梁及び柱から構成される骨組構造体と壁パネルとの間に、ゴム製の粘弾性ダンパを介在させ、双方のせん断方向（壁パネルの面内方向）のずれを粘弾性ダンパに入力させることで、地震による振動エネルギーを吸収させる。
【特許文献１】特開２００５−２８２２３１号公報
【発明の開示】
【発明が解決しようとする課題】
【０００４】
しかしながら、前記した従来の制振構造では、壁パネルが面外方向（壁面交差方向）に移動した際には有効に粘弾性ダンパが作用しない場合がある。すなわち、壁パネルと粘弾性ダンパの変形軸の位置がずれているため、壁パネルの面外方向の変形も発生し、せん断方向の変形が充分に粘弾性ダンパに入力されない場合がある。
【０００５】
そして、粘弾性ダンパの機能が発揮される方向の変形が入力されないと、効率的に粘弾性ダンパを機能させることができず、制振効果が低減するおそれがある。
【０００６】
そこで、本発明は、効率的に制振部材を機能させる方向の変形を入力することが可能な建物の制振構造、及びそれに使用される制振部材を提供することを目的としている。
【課題を解決するための手段】
【０００７】
前記目的を達成するために、本発明の建物の制振構造は、複数の柱と梁とを組み合わせて形成される骨組構造体に対して壁パネルを取り付けることによって構築される建物の制振構造であって、取付材としての前記柱、前記梁又は前記梁に端部が連結される間柱の少なくとも一つと前記壁パネルの少なくとも一枚とを連結する制振部材が、曲面を有する帯状部材であるとともに、前記壁パネルの壁面と前記取付材の取付面の双方に略直交する面で見て曲線となる方向に向けられて、その曲面の両端にそれぞれ設けられた固定部を介して前記取付材及び前記壁パネルにそれぞれ取り付けられることを特徴とする。
【０００８】
ここで、前記骨組構造体には、前記梁に端部が連結される複数の間柱が設けられ、前記壁パネルは両側縁が前記間柱又は前記柱にピン支持されるとともに、前記梁を取付材として前記壁パネルと前記梁とが前記制振部材によって連結される構成とすることができる。
【０００９】
また、前記取付材の前記取付面は、前記壁パネルと略直交するフランジ面であってもよい。さらに、前記壁パネルには、前記取付材の前記取付面に略平行する突出片が設けられ、前記制振部材の一方の前記固定部が前記突出片に固定されるとともに、他方の前記固定部が前記取付面に固定される構成とすることもできる。
【００１０】
また、前記制振部材は断面視略半円形に形成され、その半円の一端が一方の前記固定部となり、他端が他方の前記固定部となるとともに、前記曲面が前記壁パネル側に配置されるように構成してもよい。
【００１１】
さらに、前記制振部材は断面視略円形に形成され、その円の対向する位置に一方の前記固定部と他方の前記固定部がそれぞれ形成される構成であってもよい。
【００１２】
また、前記制振部材は向きが正反対になる曲面が連続して形成され、その一方の端部に前記固定部が設けられて前記壁パネルに固定され、他方の端部に設けられた前記固定部が前記取付面に固定される構成とすることもできる。
【００１３】
また、本発明の制振部材は、曲面を有する帯状部材であるとともに、断面視略円形に形成され、その円の対向する位置に一対の固定部が形成されたことを特徴とする。
【００１４】
さらに、曲面を有する帯状部材であるとともに、向きが正反対になる曲面が連続して形成され、その両端に固定部が設けられたものであってもよい。
【発明の効果】
【００１５】
このように構成された本発明の建物の制振構造は、柱や梁や間柱などの取付材と壁パネルとを連結する制振部材に、それぞれに取り付けるための固定部と、その固定部間に形成される曲面とが設けられている。また、この曲面は、壁パネルの壁面と取付材の取付面との双方に略直交する面で見て曲線となる方向に向けられる。
【００１６】
そして、地震などの振動によって壁パネルと骨組構造体との間にせん断方向の変位が生じ、壁パネルが面外方向に変形しそうになっても、この制振部材の内部でねじれが相殺されて、せん断方向の変位が主に生じることになる。
【００１７】
このため、制振部材には、せん断方向の変形が主として入力され、その変形によって効率的に制振部材が機能し、建物の制振をおこなうことができる。
【００１８】
また、壁パネルの両側縁を間柱などにピン支持させれば、骨組構造体が変形した際に壁パネルは回転運動することになる。さらに、このように回転運動する壁パネルが制振部材を介して梁に連結されていれば、地震などによって骨組構造体が変形した際に、効率的に制振部材に変形が入力され、制振機能を発揮させることができる。
【００１９】
また、壁パネルに突出片を設けることで、曲面を有する制振部材を、取付材と壁パネルのそれぞれに容易に固定することができる。特に、取付材の取付面が、梁などのフランジ面である場合、そのフランジ面に平行する突出片が設けられていれば、フランジと突出片に容易に制振部材を取り付けることができる。
【００２０】
さらに、制振部材が断面視略半円形に形成され、曲面が壁パネル側に配置されていれば、建物の内部側に固定部が露出して固定作業がしやすくなる。
【００２１】
また、制振部材が断面視略円形に形成されていれば、制振部材のねじれに対する抵抗力を高めることができる。
【００２２】
さらに、制振部材は、複数の曲面が連続して形成された部材であってもよい。この場合に、曲面の数、曲率、高さなどを調整することで、様々な性能の制振部材を製作することができる。
【００２３】
また、このように曲面を有する帯状の制振部材であれば、様々な箇所に取り付けが可能で、その取付位置及び取付方向によって、様々な制振性能を発揮させることができる。
【発明を実施するための最良の形態】
【００２４】
以下、本発明の最良の実施の形態について図面を参照して説明する。
【００２５】
図１は、本実施の形態の建物１の制振構造の構成を説明する斜視図、図２はこの建物１を側面（図３のＡ−Ａ矢視方向）から見た立面図、図３は建物１の一階の平面図を示したものである。
【００２６】
まず、この建物１の構成から説明すると、この建物１は図２に示すような二階建ての戸建て住宅であって、基礎部１０の上に一階部１１と二階部１２が積層された多層構造となっている。
【００２７】
この建物１は、複数の柱１３３，・・・と、その上端間に架け渡される梁としての天井梁１３２，・・・と、下端間に差し渡される梁としての床梁１３１，・・・とによって形成される箱形の骨組構造体１３を備えている。この骨組構造体１３は、柱１３３と天井梁１３２及び床梁１３１が剛接合されていると、ラーメン構造体になる。また、床梁１３１が省略されて基礎部１０の上に柱１３３が立設される骨組構造体であってもよい。
【００２８】
また、図４に示すように、天井梁１３２と床梁１３１との間には、後述する壁パネルを取り付けるための間柱１３４が所定の間隔で立設されている。この間柱１３４は、上端が天井梁１３２、下端が床梁１３１に連結されているが、壁パネルを取り付けるために設置される部材であるため、骨組構造体１３からの荷重が伝達され難いように端部がバネ構造となっている。
【００２９】
そして、この建物１は、図３の一階部１１の平面図に示されているように、外壁が複数の壁パネル（２，２１，２３）で構成されている。すなわち、建物１の四隅には平面視Ｌ字形の角部パネル２３，・・・が配置され、その角部パネル２３，２３間には制振部材が配置されない一般壁パネル２１，・・・、窓などの開口部２２，・・・、制振部材を介して連結される壁パネルとしての制振壁パネル２が配置される。
【００３０】
この制振壁パネル２は、図４の建物外側から見た正面図に示すように、両側縁は、高さ方向の略中央で間柱１３４，１３４にボルト２ｃ，２ｃで連結されることでピン支持となっている。なお、図示していないが、一般壁パネル２１も同様に間柱１３４，１３４に両側縁がピン支持されている。
【００３１】
このように回転が拘束されないピン支持された制振壁パネル２は、その他の箇所で骨組構造体１３に連結されていなければ、骨組構造体１３の変形によって揺動又は回転することになる。しかしながら、この制振壁パネル２は、制振部材としてのＵ形ダンパ４，・・・を介して天井梁１３２及び床梁１３１に連結されている。
【００３２】
図１は、制振壁パネル２の構成を説明するために、間柱１３４に連結する両側縁を除いた部分を図示した斜視図である。
【００３３】
この制振壁パネル２は、矩形に成形された硬質木片セメント板などの面板２ａと、建物１の内部側の壁面に水平方向に向けて取り付けられる横枠２ｂ，２ｂと、その横枠２ｂ，２ｂに面板２ａの幅方向に間隔を置いてそれぞれ取り付けられるＬ形金具３，・・・とを備えている。
【００３４】
この横枠２ｂ，２ｂは、天井梁１３２に隣接させる面板２ａ上縁のすぐ下と、床梁１３１に隣接させる面板２ａ下縁のすぐ上とに、天井梁１３２及び床梁１３１に略平行に取り付けられる。
【００３５】
また、Ｌ形金具３は、面板２ａに略直交する突出片３１を設けるために取り付けられる金具で、突出片３１に直交するＬ形の一辺を、図５に示すように横枠２ｂの側面に固定する。すなわち、このＬ形金具３は、下側の横枠２ｂに対しては庇状に突出片３１が突出するように取り付けられ、上側の横枠２ｂに対してはＬ字状に取り付けられる。
【００３６】
ここで、床梁１３１は、断面視コ字形の鋼材によって構成されており、上側のフランジの上面が取付面１３１ａとなり、この取付面１３１ａと下側の突出片３１とが略平行となっている。また、天井梁１３２も、断面視コ字形の鋼材によって構成されており、下側のフランジの下面が取付面１３２ａとなり、この取付面１３２ａと上側の突出片３１とが略平行となっている。そして、この上下の突出片３１，３１と取付面１３２ａ，１３１ａとの間に、それぞれＵ形ダンパ４，４が配置される。
【００３７】
このＵ形ダンパ４は、図６に示すように、炭素鋼やステンレス鋼等の軟鋼板を断面視略半円形に成形した帯状部材で、両端にそれぞれ固定部４１，４２が設けられている。
【００３８】
この一方の固定部４１は、突出片３１に当接させるために平板状に成形され、他方の固定部４２は床梁１３１の取付面１３１ａ（又は天井梁１３２の取付面１３２ａ）に当接させるために平板状に成形される。また、この固定部４１，４２には、それぞれ板厚方向に貫通するボルト孔４５が形成されており、そのボルト孔４５にボルト４４ａを挿通させ、ナット４４ｂで締め付けることによって、突出片３１又は取付面１３１ａ，１３２ａに固定部４１，４２がそれぞれ締結される。
【００３９】
そして、この固定部４１，４２間に形成される曲面部４３は、制振壁パネル２の壁面となる面板２ａと取付面１３１ａ，１３２ａとの双方に略直交する面（すなわち図５の紙面）で見て曲線となる方向に向けられて取り付けられる。また、この曲面部４３は、面板２ａ側に配置され、Ｕ形ダンパ４の建物内部側が開放されることになる。
【００４０】
次に、本実施の形態の建物１の制振構造の作用について説明する。
【００４１】
このように構成された本実施の形態の建物１の制振構造は、取付材としての床梁１３１及び天井梁１３２と、制振壁パネル２とが、Ｕ形ダンパ４，・・・によって連結されている。
【００４２】
また、このＵ形ダンパ４には、それぞれに取り付けるための固定部４１，４２と、その固定部４１，４２間に形成される曲面部４３とが設けられている。また、この曲面部４３は、制振壁パネル２の面板２ａと梁１３１，１３２の取付面１３１ａ，１３２ａとの双方に略直交する面（例えば図５の紙面）で見て曲線となる方向に向けられる。
【００４３】
ここで、図６（ａ）を参照しながら、Ｕ形ダンパ４にせん断変形が生じた場合に発生する内部応力について解析をおこなった結果を説明する。この図６（ａ）の左下に示した座標は、Ｘ方向が制振壁パネル２に直交する面外方向（換言すると建物内外方向）、Ｙ方向が面板２ａの面内水平方向（換言するとせん断方向）、Ｚ方向が上下方向となる。以下、この座標軸の矢印のある方向を正方向とする。
【００４４】
まず、解析の入力値として、上側の固定部４１にＹの正方向、下側の固定部４２にＹの負方向の変形を与える。すると、ボルト孔４５，・・・で固定されたＵ形ダンパ４の固定部４１では、図６（ａ）で見て左側縁に応力ＰＸ，ＰＹ，−ＰＺが発生し、右側縁では−ＰＸ，ＰＹ，ＰＺが発生する。
【００４５】
ここで、応力ＰＸと応力−ＰＸ、応力ＰＺと応力−ＰＺは、解析の結果、絶対値が略等しくなった。すなわち、固定部４１の左側縁と右側縁でＸ方向とＺ方向の応力が打ち消し合うため、固定部４１はＹの正方向に移動するだけで、Ｘ方向（制振壁パネル２の面外方向）及びＺ方向（上下方向）にはほとんど移動することがない。
【００４６】
因みに、図６（ｂ）は、Ｕ形ダンパ４の上面が下面に対してＹ方向に変形するとき、固定部４１でＸ方向及びＺ方向の拘束をおこなわなかった場合にＵ形ダンパ４に生じる変形のイメージを図示したもので、この場合は固定部４１の両側に回転方向の応力ＰＲが発生して、固定部４１にねじれが発生するものと考えられる。
【００４７】
そして、図７は、制振壁パネル２と床梁１３１とをＵ形ダンパ４，４で連結したときの変位と力の方向を説明する説明図である。
【００４８】
例えば地震などが起きて、床梁１３１に対して相対的なせん断方向の変位ＤＷが制振壁パネル２に発生すると、制振壁パネル２の変位ＤＷの軸線（壁の厚さ方向の中央付近を通る変位ＤＷに平行な直線（二点鎖線））と、Ｕ形ダンパ４の変形の軸線（固定部４１，４２間の上下方向中央をＵ形ダンパ４，４間で結んだ変位ＤＷに平行な直線（二点鎖線））とが軸ずれＶしていることから、図７の左側のＵ形ダンパ４には制振壁パネル２より建物内部方向への面外力ＳＸが作用し、図７の右側のＵ形ダンパ４には制振壁パネル２より建物外部方向への面外力−ＳＸが作用することになる。しかしながら、上述したように、図７の左側のＵ形ダンパ４の上面が変位ＤＷ方向の変形をするので、上面に面外力ＳＸを相殺する偶力ＰＸが発生する。また、図７の右側のＵ形ダンパ４も同様に上面が変位ＤＷ方向の変形をするので、上面に面外力−ＳＸを相殺する偶力ＰＸが発生する。
【００４９】
そして、Ｕ形ダンパ４の形状を調節することにより、制振壁パネル２の変形に伴う面外力ＳＸと面外力−ＳＸを完全に相殺することが可能である。
【００５０】
また、これにより面内方向のせん断力ＳＹ，ＳＹは加算されるので、せん断方向の変位ＤＷが効率的にＵ形ダンパ４，４に入力されることになる。
【００５１】
このように地震などの振動によって制振壁パネル２と骨組構造体１３との間にせん断方向の変位ＤＷが生じ、制振壁パネル２が面外方向に変形しそうになっても、このＵ形ダンパ４，・・・の内部でねじれが相殺されて、せん断方向の変形が主に生じることになる。
【００５２】
このため、Ｕ形ダンパ４には、せん断方向の変形が主として入力され、その変形によって効率的にＵ形ダンパ４が機能し、建物１の制振をおこなうことができる。
【００５３】
また、制振壁パネル２の両側縁を間柱１３４，１３４などにピン支持させれば、骨組構造体１３が変形した際に制振壁パネル２は回転運動することになる。さらに、このように回転運動する制振壁パネル２がＵ形ダンパ４，・・・を介して床梁１３１及び天井梁１３２に連結されていれば、地震などによって骨組構造体１３が変形した際に、効率的にＵ形ダンパ４，・・・に変形が入力され、制振機能を発揮させることができる。
【００５４】
また、制振壁パネル２に突出片３１を設けることで、曲面部４３を有するＵ形ダンパ４を、床梁１３１及び天井梁１３２と制振壁パネル２のそれぞれに容易に固定することができる。
【００５５】
特に、床梁１３１及び天井梁１３２の取付面１３１ａ，１３２ａがフランジ面である場合、そのフランジ面に平行する突出片３１が設けられていれば、フランジと突出片３１に容易にＵ形ダンパ４を取り付けることができる。
【００５６】
さらに、Ｕ形ダンパ４が断面視略半円形に形成され、曲面部４３が制振壁パネル２側に配置されていれば、建物１の内部側に固定部４１，４２が露出することになり、ボルト４４ａやナット４４ｂを取り付ける作業を容易におこなうことができる。
【実施例１】
【００５７】
以下、前記した実施の形態とは別の形態の実施例１について説明する。なお、前記実施の形態で説明した内容と同一乃至均等な部分の説明については同一符号を付して説明する。
【００５８】
図８は、実施例１の建物１の制振構造の構成を説明する斜視図、図９は制振部材としてのＯ形ダンパ６が取り付けられた詳細構成を説明する上部斜視図、図１０はＯ形ダンパ６の構成を説明する斜視図である。
【００５９】
まず、図８，９を参照しながら説明すると、このＯ形ダンパ６，・・・によって床梁１３１及び天井梁１３２に連結される制振壁パネル２には、床梁１３１と天井梁１３２とにそれぞれ隣接して、略平行の２本の横枠２ｆ，２ｆがそれぞれ取り付けられている。
【００６０】
また、この横枠２ｆ，２ｆには、Ｔ形金具５の矩形板状部分が差し渡されるとともに、このＴ形金具５には、面板２ａと略直交する方向に突出する突出片５１が形成されている。
【００６１】
一方、Ｏ形ダンパ６は、図１０に示すように、炭素鋼やステンレス鋼等の軟鋼板を断面視略円形に成形した帯状部材で、上下の対向する位置に一対の固定部６１，６２が設けられている。
【００６２】
この一方の固定部６１は、突出片５１に当接させるために平板状に成形され、他方の固定部６２は、天井梁１３２の取付面１３２ａ（又は床梁１３１の取付面１３１ａ）に当接させるために平板状に成形される。また、この固定部６１，６２には、それぞれ板厚方向に貫通するボルト孔６５が形成されている。
【００６３】
そして、図９に示すように、固定部６１，６２のそれぞれのボルト孔６５にボルト６４ａを挿通させ、ナット６４ｂで締め付けることによって、突出片５１又は取付面１３２ａにＯ形ダンパ６の固定部６１，６２がそれぞれ締結される。
【００６４】
このように断面視略円形に形成されたＯ形ダンパ６であれば、ねじれに対する抵抗力を高くすることができる。ここで、図１０には、Ｏ形ダンパ６に作用するせん断力Ｓ，−Ｓと、そのときに発生する応力ＰＣ，・・・の方向を示した。この図から、Ｏ形ダンパ６自体の変形による面外方向のねじれが発生し難いことがわかる。
【００６５】
また、地震などによって建物１が振動すると、図９に示すように制振壁パネル２は、ピン支持させたボルト２ｃ，２ｃを中心に一点鎖線の円弧で示したように揺動する。そして、この揺動によって、Ｏ形ダンパ６，６に変形が入力され、振動エネルギーが吸収される。
【００６６】
他方、このＯ形ダンパ６，６の中心を通る軸線（図９の手前側の二点鎖線の直線）と、制振壁パネル２の軸線（図９の奥側の二点鎖線の直線）は面外方向（建物内外方向）に軸ずれＶしているので、Ｏ形ダンパ６，６には面外方向の力が作用することになるが、Ｏ形ダンパ６，６自体からはねじれなどによる面外方向の力が発生しないので、Ｏ形ダンパ６，６に入力されるのは主としてせん断方向（面内方向）の変形となって振動エネルギーが吸収され、建物１の制振をおこなうことができる。
【００６７】
なお、他の構成及び作用効果については、前記実施の形態と略同様であるので説明を省略する。
【実施例２】
【００６８】
以下、前記した実施の形態又は実施例１とは別の形態の実施例２について説明する。なお、前記実施の形態又は実施例１で説明した内容と同一乃至均等な部分の説明については同一符号を付して説明する。
【００６９】
この実施例２では、図１１に示すように、向きが正反対になる曲面が連続して形成される制振部材としてのＳ形ダンパ７を配置した建物１の制振構造について説明する。
【００７０】
図１２は、Ｓ形ダンパ７，７によって床梁１３１に連結される制振壁パネル２の下部の構成を説明する斜視図である。なお、天井梁１３２側の図示は省略しているが、床梁１３１側と略同じ構成となる。
【００７１】
この床梁１３１には、制振壁パネル２の幅に合わせて中柱１３５，１３５が立設されている。この中柱１３５は、端部が連結される床梁１３１から荷重を受ける構造部材であり、中柱１３５が連結された床梁１３１のフランジ１３１ａ，１３１ｃ間は、補強ボルト１３１ｂ，１３１ｂによって補強される。
【００７２】
また、中柱１３５，１３５の略中央には、内側面に支持金具２ｅ，２ｅが固着され、制振壁パネル２の面板２ａに取り付けられた中間枠２ｄと支持金具２ｅ，２ｅとがボルト２ｃ，２ｃによって接続されることで、制振壁パネル２はピン支持される。
【００７３】
また、床梁１３１に隣接させる面板２ａ下縁のすぐ上には、床梁１３１に略平行に横枠２ｇが取り付けられる。さらに、この横枠２ｇには、面板２ａの幅方向に間隔を置いて固定金具８，８が取り付けられる。
【００７４】
一方、この制振部材としてのＳ形ダンパ７は、図１１に示すように、炭素鋼やステンレス鋼等の軟鋼板を断面視略Ｓ形に成形した帯状部材で、両端にそれぞれ固定部７１，７２が設けられている。
【００７５】
この一方の固定部７１は、固定金具８に平行する向きの平板状に成形され、他方の固定部７２は、床梁１３１の取付面１３１ａ（又は天井梁１３２の取付面１３２ａ）に当接させるために平板状に成形される。また、この固定部７１，７２には、それぞれ板厚方向に貫通するボルト孔７５が形成されている。
【００７６】
そして、この固定部７１，７２間には、図１１に示すように、２つの向きが正反対になる曲面部７３ａ，７３ｂが連続して形成される。すなわち、上方の曲面部７３ａは、建物の内部側に膨出する半径Ｒの曲面を備えた断面視略Ｕ字形に形成されており、下方の曲面部７３ｂは、制振壁パネル２側に膨出する半径Ｒの曲面を備えた断面視略Ｕ字形に形成されることで、図１１で見て逆Ｓ字形となっている。
【００７７】
そして、この曲面部７３ａ，７３ｂは、幅Ｗ、奥行きＨ、高さＬを調整することにより、弾性剛性、降伏点、２次剛性、終局耐力、繰り返し耐力などの特性を調整することができる。さらに、曲面部７３ａ，７３ｂの数を増やすことでこれらの特性を調整することもできる。
【００７８】
また、このＳ形ダンパ７は、図１２に示すように、制振壁パネル２の建物内部側に取り付けられた固定金具８，８のそれぞれに対して、固定部７１のボルト孔７５にボルト７３ａを挿通させて締結する。また、固定部７２は、床梁１３１の取付面１３１ａに対して、ボルト７３ａとナット７３ｂによって締結する。
【００７９】
このようにして設置されたＳ形ダンパ７に、地震などによって制振壁パネル２と骨組構造体１３との間でせん断方向の変位ＤＷが生じると、図１１の一点鎖線で示した方向の変位がそれぞれの固定部７１，７２に作用する。
【００８０】
そして、その結果として曲面部７３ａ，７３ｂに変形が入力されて振動のエネルギーが吸収されることで、Ｓ形ダンパ７による制振機能が発揮される。この場合に、曲面部の数、曲率（半径Ｒ）、幅Ｗ、奥行きＨ、高さＬなどを調整することで、様々な性能の制振部材を製作することができる。
【００８１】
また、Ｓ形ダンパ７であれば、少ない部材で制振壁パネル２及び床梁１３１（天井梁１３２）に取り付けることができる。
【００８２】
以上、図面を参照して、本発明の最良の実施の形態を詳述してきたが、具体的な構成は、この実施の形態又は実施例に限らず、本発明の要旨を逸脱しない程度の設計的変更は、本発明に含まれる。
【００８３】
例えば、前記実施の形態では、１階部１１の一部の壁パネルを制振壁パネル２としたが、これに限定されるものではなく、１階部１１に配置されるすべての壁パネルを制振壁パネル２としてもよい。
【００８４】
また、前記実施の形態又は実施例では、制振壁パネル２を間柱１３４や中柱１３５にピン支持させる場合について説明したが、これに限定されるものではなく、床梁１３１及び天井梁１３２に制振壁パネル２をピン支持させてもよい。また、この際には、制振部材（４，６，７）は間柱１３４や中柱１３５との間に介在させるのが好ましい。
【００８５】
さらに、このように曲面を有する帯状の制振部材（４，６，７）であれば、様々な箇所に取り付けが可能で、その取付位置及び取付方向によって、様々な制振性能を発揮させることができる。
【００８６】
また、前記実施の形態又は前記実施例では、固定部４１，４２，６１，６２，７１，７２をボルト４４ａ，６４ａ，７３ａとナット４４ｂ，６４ｂ，７３ｂで固定したが、これに限定されるものではなく、ビス、接着剤、溶接などの固定手段によって固定してもよい。
【００８７】
さらに、前記実施の形態では、Ｕ形ダンパ４は曲面部４３が面板２ａ側に向くように配置したが、これに限定されるものではなく、曲面部４３が建物内側に向く方向にしてＵ形ダンパ４を設置してもよい。
【００８８】
また、前記実施の形態又は前記実施例では、制振部材（４，６，７）を軟鋼板で成形したが、これに限定されるものではなく、鋼材、非鉄金属、ゴム材料など材料強度を管理規定できるものであればいずれの材料であってもよい。詳細には、ＳＳ鋼材（一般構造用圧延鋼材）又はＳＭ鋼材（溶接構造用圧延鋼材）などの構造用鋼材、熱間圧延軟鋼（ＳＰＨＣ、ＳＰＨＤ、ＳＰＨＥ、ＳＰＨＦ）などの一般加工用鋼材、錫、鉛、アルミ又は合金などの非鉄金属、天然ゴム、高減衰ゴム又はシリコンゴムなどのゴム材料などが利用できる。
【図面の簡単な説明】
【００８９】
【図１】本発明の最良の実施の形態の建物の制振構造の構成を説明するための斜視図である。
【図２】図３のＡ−Ａ矢視方向で見た建物の立面図である。
【図３】建物の一階部の平面図である。
【図４】骨組構造体に制振壁パネルを連結させた構成を説明する正面図である。
【図５】図４のＢ−Ｂ矢視方向で見た断面図である。
【図６】（ａ）はＵ形ダンパの構成及び内部応力を説明する説明図、（ｂ）はＵ形ダンパの特性を説明する説明図である。
【図７】Ｕ形ダンパまわりに発生する変位と力について説明する説明図である。
【図８】実施例１の建物の制振構造の構成を説明するための斜視図である。
【図９】Ｏ形ダンパまわりに発生する変位と力について説明する説明図である。
【図１０】Ｏ形ダンパの構成及び内部応力を説明する説明図である。
【図１１】実施例２のＳ形ダンパの構成を説明する説明図である。
【図１２】実施例２の建物の制振構造の構成を説明するための斜視図である。
【符号の説明】
【００９０】
１            建物
１３          骨組構造体
１３１        床梁（梁、取付材）
１３１ａ      取付面（フランジ面）
１３２        天井梁（梁、取付材）
１３２ａ      取付面（フランジ面）
１３３        柱（取付材）
１３４        間柱
１３５        中柱（柱）
２            制振壁パネル（壁パネル）
２ｃ          ボルト（ピン支持）
３１          突出片
４            Ｕ形ダンパ（制振部材）
４１          固定部（一方の固定部）
４２          固定部（他方の固定部）
４３          曲面部（曲面）
５１          突出片
６            Ｏ形ダンパ（制振部材）
６１          固定部（一方の固定部）
６２          固定部（他方の固定部）
６３          曲面部（曲面）
７            Ｓ形ダンパ（制振部材）
７１          固定部（一方の固定部）
７２          固定部（他方の固定部）
７３ａ        曲面部（曲面）
７３ｂ        曲面部（曲面）
【図１】
2009287233.tif 000003
【図２】
2009287233.tif 000004
【図３】
2009287233.tif 000005
【図４】
2009287233.tif 000006
【図５】
2009287233.tif 000007
【図６】
2009287233.tif 000008
【図７】
2009287233.tif 000009
【図８】
2009287233.tif 000010
【図９】
2009287233.tif 000011
【図１０】
2009287233.tif 000012
【図１１】
2009287233.tif 000013
【図１２】
2009287233.tif 000014